(57)【要約】【課題】本発明の目的は、外出時等に義歯を洗浄する際に、場所や人目を気にする事なく義歯を、洗浄着脱ができる使い捨て義歯洗浄着脱袋を提供する。【解決手段】義歯の着脱が可能で、義歯を入れて義歯を洗浄可能な使い捨て義歯洗浄着脱袋１であって、使用前はシート状であり、使用時には内部を膨らませることにより筒状になり、上部両端に切り込み２が形成されていて、開口部３が大きく広がり口を覆いやすい形態となり、義歯の着脱を容易に行うことができる。【選択図】図１
2019093081.tif 000002
【特許請求の範囲】
【請求項１】
義歯の着脱が可能で、義歯を入れて義歯を洗浄可能な使い捨て義歯洗浄着脱袋であって、使用前はシート状であり、使用時には内部を膨らませることにより筒状になり、上部の両端に切り込みが形成されていることを特徴とする義歯洗浄着脱袋。
【請求項２】
中央部が最も膨らむように、シート状の状態で中央部の幅を広くしている請求項１に記載の使い捨て義歯洗浄着脱袋。
【請求項３】
筒状の袋の中央部より下方へ向かい、絞りを設けその先端に排水口を設けた請求項１又は２に記載の使い捨て義歯洗浄着脱袋。
【発明の詳細な説明】
【技術分野】
【０００１】  本発明は、外出時等に食後義歯を洗浄する際、場所や人目を気にする事なく洗浄着脱できる使い捨て義歯洗浄着脱袋に関する。
【背景技術】
【０００２】  義歯の洗浄、清掃を簡易的に行う携帯用具については、多くの提案がある。例えば、特許文献１には、シートに設けたポケットに義歯を入れて、洗浄剤を用いてポケットの上から義歯の汚れを拭き取る簡易清掃シートが提案されている。また、特許文献２には、上端縁部が開閉自在な封筒形状の耐水性袋と同袋内に挿入された外形楔状の三角筒体とからなり、義歯を三角筒体の平坦部面に当接させて載置し、洗浄液を袋内に注入し、袋の上端縁部を閉じた後、袋全体を上下に振り動かすことによって義歯を洗浄する簡易洗浄具が記載されている。また、特許文献３には、軽量で水漏れしない紙や合成樹脂などを使用したパックでトップのジッパーより水を注ぐだけでパック中に付帯する洗浄剤により洗浄し、使用後はパックを破棄するという使い捨て入れ歯パックが提案されている。【０００３】  これらの文献に記載された携帯用の義歯洗浄用具は、いずれも紙、合成樹脂等の袋状容器に義歯を入れて、義歯をシート状布で擦ったり、洗浄液中で揺することにより簡便に洗浄し、使用後は容器を破棄するという点に着目した、使い捨てを目的とする義歯洗浄用具に関するものであった。
【先行技術文献】
【特許文献】
【０００４】
【特許文献１】実開平０６−４１１号公報
【特許文献２】特開２００９−１９５３４２号公報
【特許文献３】実用新案登録第３１５９７４７号公報
【発明の概要】
【発明が解決しようとする課題】
【０００５】  しかしながら、前記各文献には、義歯使用者が外出先で、食後に人目を気にする事なく義歯を着脱して清掃を行うことのできる用具については何ら記載がない。本発明の目的は義歯を洗浄する際に場所や人目を気にする事なく洗浄着脱できる使い捨て義歯洗浄着脱袋を提供することにある。
【課題を解決するための手段】
【０００６】  請求項１の発明は、義歯の着脱が可能で、義歯を入れて義歯を洗浄可能な使い捨て義歯洗浄着脱袋であって、使用前はシート状であり、使用時には内部を膨らませることにより筒状になり、上部の両端に切り込みが形成されていることを特徴とする義歯洗浄着脱袋を提供するものである。【０００７】  請求項２の発明は、請求項１の義歯洗浄着脱袋において、中央部が最も膨らむように、シート状の状態で中央部の幅を広くしていることを特徴とする使い捨て義歯洗浄着脱袋を提供するものである。【０００８】  請求項３の発明は、請求項１又は２の義歯洗浄着脱袋において、筒状の袋の中央部より下方へ向かい、絞りを設け、その先端に排水口を設けたことを特徴とする使い捨て義歯洗浄着脱袋を提供するものである。
【発明の効果】
【０００９】  本発明の義歯洗浄着脱袋は上部両端に切り込みを設けたことにより、膨らませた時の開口部が大きく広がり、口を覆いやすい形態となり、義歯着脱が場所や人目を気にする事なくできるものである。【００１０】  また上部開口部より洗浄水を流し入れた際、袋の中央部に膨らみを持たせたことで、義歯と袋の内面が接触していない部分ができて水が流動し易くなり表面から揉む等の刺激を与える事で汚れが速やかに取り除かれる。【００１１】  また、袋は下方に緩やかな絞りを設けた先に排水口を設けることにより、固形物の汚れが素早く排出される。
【図面の簡単な説明】
【００１２】
【図１】本発明の義歯洗浄着脱袋を示す斜視図である。
【図２】本発明の義歯洗浄着脱袋の使用前を示す側面図である。
【図３】本発明の義歯洗浄着脱袋の使用時の図である。
【図４】本発明の義歯洗浄着脱袋の他の実施形態を示す図である。
【図５】本発明の義歯洗浄着脱袋の他の実施形態を示す図である。
【図６】本発明の義歯洗浄着脱袋の他の実施形態を示す図である。
【発明を実施するための形態】
【００１３】  以下、本発明を実施するための形態について図を用いて説明する。
【００１４】  図１に示したように本発明の義歯洗浄着脱袋１は、上部の開口部３の両端に切り込み２を設けており、図３に示したように使用時には開口部３を広げて口を覆うように口に当てて義歯を外し、そのまま筒状に膨らんだ袋に収納し、開口部３より適量の洗浄水を加えて、手揉みにより、或いは振動させることにより、容易に義歯に付着する汚れを取り除くことができる。固形の汚れは底部６へ沈下し、底部６の排水口５より排出する。また、洗浄が終わると、図３に示すように再び開口部３を口に当てて、洗浄された義歯を着床させる。この義歯の着脱は人目に触れることなく、さり気なく容易に行うことができるので人目や場所を気にすることがなくなる。
【００１５】  袋の中央部４辺りに膨らみがあると義歯が袋の中央部において安定に保持されやすく、洗浄水を流し入れた際、袋の内面と義歯の間に接触していない部分ができ、水が流動し易くなり、汚れが速やかに取り除かれる。また、袋表面より揉む等の刺激を与えれば、なおよく取り除かれる。また、袋の中央部４より底部６に向かうに従い緩やかに絞りを設けた形状となしており、汚物が底部６へ移行しやすく、外部へ流出しやすい。
【００１６】  本発明の袋は、不織布、ポリエチレン、ポリエステル、ナイロン等の合成樹脂製のシートを２枚張り合わせて、融着等の熱処理により、又は縫合により製造することができる。大きさの一例をあげると、開口部３は１５ｃｍ、高さ１３ｃｍ中央部１７ｃｍであり、切込み２の長さは２．５ｃｍ、排水口５の口径は１．５ｃｍである。
【００１７】  本実施形態では排水口５を有する例で説明したが、排水口５の無いものでよく、排水口５は必要に応じて設ければ良い。また、排水口５は後から追加できるようにしても良く、例えば図４のように先端にミシン目７を設け先端を切り取って、この切り取り部を排水口５としても良い。このようにすれば、一旦水を溜めて洗浄した後に排水が可能になる。
【００１８】  本発明の義歯洗浄着脱袋は、構造が単純で安価であり、嵩が薄く携帯時も手軽に使用でき、また、介護の現場でも利用者が洗面所に行かれない時等、介護者が袋に入れて洗浄できる。
【００１９】  以上本発明の実施形態について説明したが実施形態は適宜変更したものであっても良い。図５に別の例を示している。開口部３の上端に楔状の切り欠き８を設けたことで開口部３を開けやすくなる。更に図６に示す別の例のように、本発明の袋は中央部に膨らみの無い形態でもよい。
【符号の説明】
【００２０】  １  本体
２  切り込み
３  開口部
４  中央部
５  排水口
６  底部
７  ミシン目
８  切り欠き
【図１】
2019093081.tif 000003
【図２】
2019093081.tif 000004
【図３】
2019093081.tif 000005
【図４】
2019093081.tif 000006
【図５】
2019093081.tif 000007
【図６】
2019093081.tif 000008
【手続補正書】
【提出日】平成30年5月1日(2018.5.1)
【手続補正１】
【補正対象書類名】特許請求の範囲
【補正対象項目名】全文
【補正方法】変更
【補正の内容】
【特許請求の範囲】
【請求項１】
義歯の着脱の際に、口に当てて覆うことが可能で、義歯を入れて義歯を洗浄可能な使い捨て義歯洗浄着脱袋であって、使用前はシート状であり、使用時には内部を膨らませることにより筒状になり、使用時に広がって口を覆うことが可能となるように、上部の両端に切り込みが形成されていることを特徴とする義歯洗浄着脱袋。
【請求項２】
中央部が最も膨らむように、シート状の状態で中央部の幅を広くしている請求項１に記載の義歯洗浄着脱袋。
【請求項３】
筒状の袋の中央部より下方へ向かい、絞りを設けその先端に排水口を設けた請求項１又は２に記載の義歯洗浄着脱袋。